【手続補正書】
【提出日】平成20年7月30日(2008.7.30)
【手続補正１】
【補正対象書類名】明細書
【補正対象項目名】特許請求の範囲
【補正方法】変更
【補正の内容】
【特許請求の範囲】
【請求項１】  軸を中心とする回転を容易にするための高速軸受であって、前記軸受は、断面がアーチ形であり前記軸から離れる方向を向くように設けられた軌道を有する内側レースと、前記内側レースを囲み、断面がアーチ形であり前記内側レースの軌道と面するように設けられた軌道を有する外側レースと、前記レースの間で１列に配列され前記レースの前記軌道に接触する玉と、を具備し、前記玉と前記内側レース及び外側レース各々の前記軌道との間の接触率が０．９３以下であり、前記レースは、０．０５〜０．５０重量％の炭素と、１０．０〜２０．０重量％のクロムとを含むステンレス鋼から形成され、前記レースは、浸炭または浸炭窒化による肌焼を行うことで形成された硬化表面を有し、当該軸受を１，０００，０００ＤＮの条件で運転するときの運転時温度が１３０°Ｆ（５５℃）未満であることを特徴とする軸受。
【請求項２】  軸を中心とする回転を容易にするための高速軸受であって、前記軸受は、断面がアーチ形であり前記軸から離れる方向を向くように設けられた軌道を有する内側レースと、前記内側レースを囲み、断面がアーチ形であり前記内側レースの軌道と面するように設けられた軌道を有する外側レースと、前記レースの間で１列に配列され前記レースの前記軌道に接触する玉と、を具備し、前記玉が外側レースの軌道と接触する領域に対し当該玉が内側レースの軌道と接触する領域は軸受けの軸方向にずれており、前記玉と少なくとも一方の前記レースの軌道との間の接触率が０．９３以下であり、前記レースは、０．０５〜０．５０重量％の炭素と、１０．０〜２０．０重量％のクロムとを含むステンレス鋼から形成され、前記レースは、浸炭または浸炭窒化による肌焼を行うことで形成された硬化表面を有することを特徴とする軸受。
【請求項３】  軸を中心とする回転を容易にするための高速軸受であって、前記軸受は、断面がアーチ形であり前記軸から離れる方向を向くように設けられた軌道を有する内側レースと、前記内側レースを囲み、断面がアーチ形であり前記内側レースの軌道と面するように設けられた軌道を有する外側レースと、前記レースの間で１列に配列され前記レースの前記軌道に接触する玉と、を具備し、前記玉と少なくとも一方の前記レースの軌道との間の接触率が０．９３以下であり、前記玉は窒化ケイ素から形成され、前記レースは、０．０５〜０．５０重量％の炭素と、１０．０〜２０．０重量％のクロムとを含むステンレス鋼から形成され、前記レースは、浸炭または浸炭窒化による肌焼を行うことで形成された硬化表面を有することを特徴とする軸受。
【請求項４】  軸を中心とする回転を容易にするための高速軸受であって、前記軸受は、断面がアーチ形であり前記軸から離れる方向を向くように設けられた軌道を有する内側レースと、前記内側レースを囲み、断面がアーチ形であり前記内側レースの軌道と面するように設けられた軌道を有する外側レースと、前記レースの間で１列に配列され前記レースの前記軌道に接触する玉と、を具備し、前記玉と前記内側レースの軌道との間の接触率が０．８９以下であり、前記玉と前記外側レースの軌道との間の接触率が０．９３以下であり、前記レースは、０．０５〜０．５０重量％の炭素と、１０．０〜２０．０重量％のクロムとを含むステンレス鋼から形成され、前記レースは、浸炭または浸炭窒化による肌焼を行うことで形成された硬化表面を有することを特徴とする軸受。
【請求項５】  軸を中心とする回転を容易にするための高速軸受であって、前記軸受は、断面がアーチ形であり前記軸から離れる方向を向くように設けられた軌道を有する内側レースと、前記内側レースを囲み、断面がアーチ形であり前記内側レースの軌道と面するように設けられた軌道を有する外側レースと、前記レースの間で１列に配列され前記レースの前記軌道に接触する玉と、を具備し、前記玉と少なくとも一方の前記レースの軌道との間の接触率が０．９３以下であり、前記レースは、０．０５〜０．５０重量％の炭素と、１０．０〜２０．０重量％のクロムとを含むステンレス鋼から形成され且つ少なくとも一方の前記レースはＣＳＳ−４２Ｌ、パイロウエア６５７及びＡＩＳＩ４２０よりなる群から選ばれるステンレス鋼で形成され、前記レースは、浸炭または浸炭窒化による肌焼を行うことで形成された硬化表面を有することを特徴とする軸受。
【請求項６】  工作機械において、ハウジングと、前記ハウジング内に位置するスピンドルと、前記ハウジング内で回転軸を中心とする前記スピンドルの高い角速度での回転を容易にするために前記スピンドルと前記ハウジングとの間に位置する複数のアンギュラコンタクト玉軸受と、を具備する組み合わせであって、前記軸受の一つは、半径方向荷重およびスラスト荷重を前記スピンドルと前記ハウジングとの間で軸方向のどちらにも向かって移すように、他の前記軸受に対向して配列され、各軸受は、前記スピンドルのまわりに位置し、断面がアーチ形であり前記軸から離れる方向を向くように設けられた軌道を有する内側レースと、前記ハウジング内に位置し、断面がアーチ形であり前記内側レースの軌道に面するように設けられた軌道を有する外側レースと、前記内側レースと前記外側レースとの間で円形列に配列され前記各レースの軌道に接触する玉と、を含み、前記玉と少なくとも一方の前記レースの軌道との間の接触率が０．９３以下であり、前記軸受のレースは、０．０５〜０．５０重量％の炭素と、１０．０〜２０．０重量％のクロムとを含むステンレス鋼から形成され、前記レースは、浸炭または浸炭窒化による肌焼を行うことで形成された硬化表面を有することを特徴とする組み合わせ。
【請求項７】  工作機械において、ハウジングと、前記ハウジング内に位置するスピンドルと、前記ハウジング内で回転軸を中心とする前記スピンドルの高い角速度での回転を容易にするために前記スピンドルと前記ハウジングとの間に位置する複数のアンギュラコンタクト玉軸受と、を具備する組み合わせであって、前記軸受の一つは、半径方向荷重およびスラスト荷重を前記スピンドルと前記ハウジングとの間で軸方向のどちらにも向かって移すように、他の前記軸受に対向して配列され、各軸受は、前記スピンドルのまわりに位置し、断面がアーチ形であり前記軸から離れる方向を向くように設けられた軌道を有する内側レースと、前記ハウジング内に位置し、断面がアーチ形であり前記内側レースの軌道に面するように設けられた軌道を有する外側レースと、前記内側レースと前記外側レースとの間で円形列に配列され前記各レースの軌道に接触する玉と、を含み、前記玉と少なくとも一方の前記レースの軌道との間の接触率が０．９３以下であり、各軸受用の接触角度は、１５度〜３０度の範囲であることを特徴とする組み合わせ。
【請求項８】  工作機械において、ハウジングと、前記ハウジング内に位置するスピンドルと、前記ハウジング内で回転軸を中心とする前記スピンドルの高い角速度での回転を容易にするために前記スピンドルと前記ハウジングとの間に位置する複数のアンギュラコンタクト玉軸受と、を具備する組み合わせであって、前記軸受の一つは、半径方向荷重およびスラスト荷重を前記スピンドルと前記ハウジングとの間で軸方向のどちらにも向かって移すように、他の前記軸受に対向して配列され、各軸受は、前記スピンドルのまわりに位置し、断面がアーチ形であり前記軸から離れる方向を向くように設けられた軌道を有する内側レースと、前記ハウジング内に位置し、断面がアーチ形であり前記内側レースの軌道に面するように設けられた軌道を有する外側レースと、前記内側レースと前記外側レースとの間で円形列に配列され前記各レースの軌道に接触する玉と、を含み、前記玉と少なくとも一方の前記レースの軌道との間の接触率が０．９３以下であり、前記軸受は、予荷重の状態にあることを特徴とする組み合わせ。
【請求項９】  工作機械において、ハウジングと、前記ハウジング内に位置するスピンドルと、前記スピンドルの回転軸を中心とする回転を容易にするために前記スピンドルと前記ハウジングとの間に位置するアンギュラコンタクト玉軸受と、を具備する組み合わせであって、前記軸受は、締まり嵌めで前記スピンドルのまわりに嵌まり、断面がアーチ形であり前記軸から離れる方向を向くように設けられた軌道を有する内側レースと、前記ハウジング内に位置し、断面がアーチ形であり前記内側レースの軌道に面するように設けられた軌道を有する外側レースと、前記内側レースと前記外側レースとの間で円形列に配列され前記レースの軌道に接触する玉と、を含み、前記軸受の前記内側レースは、少なくとも当初は圧縮の状態で存在する硬化表面を形成するために浸炭または浸炭窒化による肌焼が行われた鋼からなることを特徴とする組み合わせ。
【請求項１０】  工作機械において、ハウジングと、前記ハウジング内に位置するスピンドルと、前記ハウジング内で回転軸を中心とする前記スピンドルの高い角速度での回転を容易にするために前記スピンドルと前記ハウジングとの間に位置する複数のアンギュラコンタクト玉軸受と、を具備する組み合わせであって、前記軸受の一つは、半径方向荷重およびスラスト荷重を前記スピンドルと前記ハウジングとの間で軸方向のどちらにも向かって移すように、他の前記軸受に対向して配列され、各軸受は、前記スピンドルのまわりに位置し、断面がアーチ形であり前記軸から離れる方向を向くように設けられた軌道を有する内側レースと、前記ハウジング内に位置し、断面がアーチ形であり前記内側レースの軌道に面するように設けられた軌道を有する外側レースと、前記内側レースと前記外側レースとの間で円形列に配列され前記各レースの軌道に接触する玉と、を含み、前記軸受のレースは、０．５０重量％以下の炭素と、１０．０重量％以上のクロムとを含むステンレス鋼から形成され、前記レースは、浸炭または浸炭窒化によって形成された硬化表面を有することを特徴とする組み合わせ。